【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
複数のサイズの封筒に対して画像を印刷可能な印刷装置であって、
前記複数のサイズのうち特定のサイズを選択する選択手段と、
前記選択手段によって前記特定のサイズが選択された状態で、封筒が有するフラップの長さをユーザから受け付ける受付手段と、
前記選択手段によって選択された前記特定のサイズ及び前記受付手段が受け付けたフラップの長さに基づいて、封筒に対して画像を印刷する印刷手段と、
前記選択手段によって選択された前記特定のサイズに対応付けて、前記受付手段が受け付けたフラップの長さを記憶する記憶手段と、
前記印刷手段による印刷が行われた後、前記選択手段によって前記特定のサイズが再び選択されたことに基づき、当該特定のサイズに対応付けて前記記憶手段に記憶されているフラップの長さを取得する取得手段と、
を有することを特徴とする印刷装置。
【請求項２】
前記受付手段は、フラップの長さを受け付けるための操作画面を表示することを特徴とする請求項１に記載の印刷装置。
【請求項３】
前記取得手段が取得したフラップの長さを、前記操作画面上でユーザに対して提示する提示手段を更に備えることを特徴とする請求項２に記載の印刷装置。
【請求項４】
前記操作画面には、前記受付手段がユーザから受け付けたフラップの長さを表示する領域が含まれ、前記提示手段は、前記取得手段が取得したフラップの長さを前記領域に表示することを特徴とする請求項３に記載の印刷装置。
【請求項５】
前記記憶手段は、１つのサイズに対応付けて複数のフラップの長さを記憶することが可能であって、
前記特定のサイズに対して複数のフラップの長さが記憶されている場合は、前記選択手段によって前記特定のサイズが再び選択されたことに基づき、前記取得手段は、当該複数のフラップの長さを取得することを特徴とする請求項１乃至４のいずれか１項に記載の印刷装置。
【請求項６】
前記選択手段によって選択された前記特定のサイズ及び前記受付手段が受け付けたフラップの長さを、特定のシート供給部に対応付けて保持する保持手段を更に備え、
前記印刷手段は、前記保持手段によって保持された前記特定のサイズ及び前記受付手段が受け付けたフラップの長さに基づいて、前記特定のシート供給部から供給される封筒に対して画像を印刷し、
前記保持手段によって保持された前記特定のサイズ及び前記受付手段が受け付けたフラップの長さは、前記特定のシート供給部の封筒がなくなったことに応じて削除されることを特徴とする請求項１乃至５のいずれか１項に記載の印刷装置。
【請求項７】
前記特定のシート供給部は手差しトレイであることを特徴とする請求項６に記載の印刷装置。
【請求項８】
前記印刷手段は、前記選択手段によって選択された前記特定のサイズ及び前記受付手段が受け付けたフラップの長さに基づいて、画像の印刷位置をシフトすることを特徴とする請求項１乃至７のいずれか１項に記載の印刷装置。
【請求項９】
複数のサイズの封筒に対して画像を印刷可能な印刷装置の制御方法であって、
前記複数のサイズのうち特定のサイズを選択する選択工程と、
前記選択工程で前記特定のサイズが選択された状態で、封筒が有するフラップの長さをユーザから受け付ける受付工程と、
前記選択工程で選択された前記特定のサイズ及び前記受付工程で受け付けたフラップの長さに基づいて、封筒に対して画像を印刷する印刷工程と、
前記選択工程で選択された前記特定のサイズに対応付けて、前記受付工程で受け付けたフラップの長さを記憶装置に記憶させる記憶工程と、
前記印刷工程での印刷が行われた後、前記選択工程で前記特定のサイズが再び選択されたことに基づき、当該特定のサイズに対応付けて前記記憶装置に記憶されているフラップの長さを取得する取得工程と、
を有することを特徴とする印刷装置の制御方法。
【請求項１０】
コンピュータを請求項１乃至８のいずれか１項に記載の印刷装置の各手段として機能させるためのプログラム。
【手続補正２】
【補正対象書類名】明細書
【補正対象項目名】０００１
【補正方法】変更
【補正の内容】
【０００１】
本発明は、複数のサイズの封筒に対して画像を印刷可能な印刷装置及びその制御方法、及びプログラムに関するものである。
【手続補正３】
【補正対象書類名】明細書
【補正対象項目名】０００８
【補正方法】変更
【補正の内容】
【０００８】
本発明の目的は、過去にユーザから受け付けたフラップの長さを封筒のサイズごとに記憶しておくことで、フラップの長さを再入力する手間を軽減できる技術を提供することにある。
【手続補正４】
【補正対象書類名】明細書
【補正対象項目名】０００９
【補正方法】変更
【補正の内容】
【０００９】
上記目的を達成するために本発明の一態様に係る印刷装置は以下のような構成を備える。即ち、複数のサイズの封筒に対して画像を印刷可能な印刷装置であって、前記複数のサイズのうち特定のサイズを選択する選択手段と、前記選択手段によって前記特定のサイズが選択された状態で、封筒が有するフラップの長さをユーザから受け付ける受付手段と、前記選択手段によって選択された前記特定のサイズ及び前記受付手段が受け付けたフラップの長さに基づいて、封筒に対して画像を印刷する印刷手段と、前記選択手段によって選択された前記特定のサイズに対応付けて、前記受付手段が受け付けたフラップの長さを記憶する記憶手段と、前記印刷手段による印刷が行われた後、前記選択手段によって前記特定のサイズが再び選択されたことに基づき、当該特定のサイズに対応付けて前記記憶手段に記憶されているフラップの長さを取得する取得手段と、を有することを特徴とする。
【手続補正５】
【補正対象書類名】明細書
【補正対象項目名】００１０
【補正方法】変更
【補正の内容】
【００１０】
本発明によれば、過去にユーザから受け付けたフラップの長さを封筒のサイズごとに記憶しておくことで、フラップの長さを再入力する手間を軽減することが可能となる。
【手続補正６】
【補正対象書類名】明細書
【補正対象項目名】００３６
【補正方法】変更
【補正の内容】
【００３６】
次に、手差しトレイ３０４に用紙を設定したときの用紙のサイズとタイプの設定を行う方法を説明する。手差しトレイ３０４上に用紙をセットし、図５（Ｂ）や図５（Ｃ）に示すような状態にすると、センサ５０４が反応し、プリンタエンジン１０３からコントローラ１０１に対して用紙がセットされたことが通知される。コントローラ１０１がこの通知を受けると操作部１０６の表示部２０３には図７（Ａ）で示す画面が表示される。但し、この場合は戻るボタン６１１は表示されない。前述したように、この画面で定型サイズかユーザ設定サイズかで封筒サイズを設定した後に「次へ」ボタン６１２を押下すると図８（Ｂ）の画面が表示される。前述したように、この画面には用紙タイプ設定ボタン群６２４があり、いずれかのボタンを押下することで用紙の種類を設定したり、キャンセルボタン６２５で図７（Ａ）の画面に戻したりすることができる。そして設定終了後にＯＫボタン６２６が押下されると、用紙登録画面は消えて、表１の「手差し」のサイズと用紙タイプが「未設定」から、実際に設定されたサイズやタイプ等に更新される。そして、手差しトレイ３０４上の用紙がなくなるとセンサ５０４が反応し、プリンタエンジン１０３からコントローラ１０１に対して用紙がなくなったことが通知される。コントローラ１０１がこの通知を受けると、表１の「手差し」の各項目を「未設定」に更新する。そして、再度手差しトレイ３０４に用紙をセットしたときには、前述のシーケンスを繰り返すことになる。手差しトレイ３０４にセットされる用紙は、ユーザが、１つのコピージョブで用紙を使いきるためにセットすることが多いため、手差しトレイ３０４にセットされた用紙の用紙なしを検出すると、手差しトレイ３０４の設定はクリアされる。それによって、手差しトレイ３０４に新たにセットされた用紙に対する画像の印刷が、前回の用紙の設定のまま行われることを防ぐことができる。
【手続補正７】
【補正対象書類名】明細書
【補正対象項目名】００５９
【補正方法】変更
【補正の内容】
【００５９】
この画面にはフラップサイズを設定するための数値入力領域１４１３があり、数字キー群１４１２を使用してフラップサイズの設定値を入力することができる。数値入力領域１４１３の値は、このフラップサイズ設定画面で、選択された封筒サイズに設定されているフラップサイズを、表３で示したデータ構造を有するメモリから取得して表示する。従って、前回その封筒サイズに対応付けて設定されているフラップサイズが表示されることになる。キャンセルボタン１４１４は、この画面での設定をやめたい場合に押下する。キャンセルボタン１４１４が押下されると図１５（Ｂ）の画面に戻る。また図１６で、ＯＫボタン１４１５が押下されると、数字キー群１４１２を使用して設定されたフラップサイズが設定されて画面が閉じられる。例えば、手差しトレイ３０４に長形３号の封筒を横送りで、フラップサイズを３０．０ｍｍに設定した場合、表１に示すデータ構造をもつデータの手差しの項目は以下の表４のように更新される。こうして入力されたフラップサイズは、図１５（Ｂ）で設定された封筒サイズに対応付けてメモリ２０２に不揮発に記憶される。
【手続補正８】
【補正対象書類名】明細書
【補正対象項目名】００７３
【補正方法】変更
【補正の内容】
【００７３】
次にＳ１７１５に進み、ＣＰＵ２０１は、プリンタエンジン１０３を制御して画像データに基づいて印刷制御を行う。このとき、画像データの出力位置をオフセット量分副走査方向にずらして（シフトして）印刷する。これにより、図２０（Ｂ）に示すような印刷結果を得ることができる。もしもオフセット量だけずらさないと、図２０（Ｃ）に示すような結果となり、宛先及び郵便番号の位置がずれた印刷結果となる。これは、封筒以外の用紙に画像を印刷する場合と同様に、メモリ２０２に展開された画像と封筒の上端とを合わせて、封筒に画像を印刷すると、封筒にはフラップがあることが原因で正しい位置に画像が印刷されないからである。